(57)【要約】【課題】構造の安定性、運動強度及びフィットネス効果を向上させるフィットネス装置を提供する。【解決手段】このフィットネス装置は、座席１００と、円弧軌道２００と、枢動部材３００と、背凭れ部材４００と、を備える。座席１００は、円弧軌道２００に固定されており、背凭れ部材４００の一方の端部に枢接されている。枢動部材３００は、一端部が円弧軌道２００に摺動可能に摺動軌跡が制限され、他端部３１０が背凭れ部材４００に枢接されている。これによって、背凭れ部材４００が座席１００に対して枢動すると、枢動部材３００と円弧軌道２００とが摺動するように摺動軌跡が制限されること及び当接されることによって、作動を安定させ、フィットネス効果を促進させる目的を達成することができる。【選択図】図１
0003182681.tif 000002
【実用新案登録請求の範囲】
【請求項１】
座席と、
前記座席に接続されている円弧軌道と、
一端が前記座席に枢接されており、前記座席に対して枢動する背凭れ部材と、
一方の端部である一端部が前記円弧軌道に沿って摺動可能でありかつ摺動軌跡が制限され、他方の端部である他端部が前記背凭れ部材に枢接されている枢動部材と、
枢動された前記背凭れ部材を復帰させることに用いられる定位置復帰手段と、を備え、
前記背凭れ部材が前記座席に対して枢動すると、前記枢動部材が連動して前記円弧軌道に沿って摺動するように摺動軌跡の制限を行うフィットネス装置。
【請求項２】
前記円弧軌道は、前記座席の下方に固定され、所定の方向へ曲がっていることを特徴とする請求項１に記載のフィットネス装置。
【請求項３】
前記円弧軌道は、前記座席側に向いて曲がっていることを特徴とする請求項２に記載のフィットネス装置。
【請求項４】
前記円弧軌道は、前記座席とは反対側に向いて曲がっていることを特徴とする請求項２に記載のフィットネス装置。
【請求項５】
前記円弧軌道は、少なくとも１つの弧面を有し、
前記枢動部材の前記一端部に、前記円弧軌道に架設されている摺動ユニットが設けられており、
前記摺動ユニットには、前記弧面に当接する少なくとも１つのローラーが回転可能に設けられていることを特徴とする請求項１に記載のフィットネス装置。
【請求項６】
位置決め部材をさらに備え、
前記円弧軌道は、弧面を有し、複数の位置決め穴が設けられており、
前記枢動部材の前記一端部に、前記円弧軌道に架設されている摺動ユニットが設けられており、
前記摺動ユニットには、前記弧面に当接するローラーが回転可能に設けられており、各前記位置決め穴に対応する位置限定穴が形成されており、
前記位置限定穴および何れの前記位置決め穴に前記位置決め部材を貫通することで位置決めを行うことを特徴とする請求項１に記載のフィットネス装置。
【請求項７】
複数の前記位置決め穴は、互いに隣接する前記位置決め穴の間の間隔が同じであることを特徴とする請求項６に記載のフィットネス装置。
【請求項８】
複数の前記位置決め穴は、互いに隣接する前記位置決め穴の間の間隔が異なることを特徴とする請求項６に記載のフィットネス装置。
【請求項９】
前記定位置復帰手段は、前記座席と前記枢動部材との間に設けられているバネ部材であることを特徴とする請求項１に記載のフィットネス装置。
【請求項１０】
前記定位置復帰手段は、前記座席と前記背凭れ部材との間に設けられているバネ部材であることを特徴とする請求項１に記載のフィットネス装置。
【請求項１１】
前記円弧軌道は、上方に第１の弧面を有し、下方に第２の弧面を有し、
前記枢動部材の一端に、前記円弧軌道に摺動可能に架設されている摺動ユニットが設けられており、
前記摺動ユニットには、前記第１の弧面に当接するローラーが回転可能に設けられており、前記第２の弧面に当接する枢接部材が設けられていることを特徴とする請求項１に記載のフィットネス装置。
【請求項１２】
前記円弧軌道は、第１側面及び前記第１側面に対向する第２側面を有し、
前記枢動部材の一端に、前記円弧軌道に摺動可能に架設されている摺動ユニットが設けられており、
前記摺動ユニットには、前記第１側面に当接する第１ローラー、および、前記第２側面に当接する第２ローラーが回転可能に設けられていることを特徴とする請求項１に記載のフィットネス装置。
【考案の詳細な説明】
【技術分野】
【０００１】
本考案は、フィットネス装置に関し、特に、座る姿勢でシットアップを行うフィットネス装置に関する。
【背景技術】
【０００２】
座る姿勢でシットアップをするフィットネス装置は、市場で大人気の製品である。従来のフィットネス装置としては、互いに枢接している座席及び背凭れ部材を備え、枢動可能な背凭れ部材の後方にプーリーが設置され、また、往復運動の復帰力を提供するため、座席と背凭れ部材との間にバネが取り付けられているものが多い。
【考案の概要】
【考案が解決しようとする課題】
【０００３】
従来のフィットネス装置の構造は、プーリーの何れも平らな地面で摺動するので、座席及び背凭れ部材の枢動動作を制限する安定なルートを有しない。また、プーリーが地面で揺れて偏移しやすい。また、従来のフィットネス装置における復帰力も、フィットネスの抵抗も、バネ応力の反発力によるものである。このような運動抵抗は単調しすぎて変化が少ないので、筋肉を鍛える効果が少ない。
【０００４】
また、従来のフィットネス装置は、プーリーを利用して地面で摺動するため、背凭れ部材の最大枢動角度が８０度を超えない。よって、背部筋肉を伸ばす効果が少なく、運動強度のバリエーションが制限されている。
【０００５】
本考案の目的は、構造の安定性、運動強度及びフィットネス効果を向上させるフィットネス装置を提供することにある。
【課題を解決するための手段】
【０００６】
本考案によるフィットネス装置は、座席と、円弧軌道と、枢動部材と、背凭れ部材と、定位置復帰手段と、を備える。円弧軌道は、座席に接続されている。枢動部材は、一端の端部である一端部が円弧軌道に沿って摺動可能でありかつ摺動軌跡が制限されている。背凭れ部材は、一端が座席に枢接されている。枢動部材の他端は背凭れ部材に枢接されている。背凭れ部材が座席に対して枢動すると、枢動部材が連動して円弧軌道に沿って摺動するように摺動軌跡の制限を行う。また、定位置復帰手段は、枢動された背凭れ部材を復帰させる。
【０００７】
本考案では、背凭れ部材が座席に対して枢動すると、枢動部材は、背凭れ部材の枢動により連動されて円弧軌道と摺動する。背凭れ部材は、枢動部材によって摺動軌跡が制限されている状態で枢動することができると共に、枢動部材が円弧軌道に当接することで、装置の動作を安定させる。そして、円弧軌道の曲率変化により、背凭れ部材の摺動速度及び復帰抵抗が変化し、フィットネス効果を促進することができる。
【０００８】
本考案の円弧軌道は、座席の下方に固定され、所定の方向へ曲がっており、座席とは反対側、または、座席側に曲がっても良い。
【０００９】
円弧軌道が座席とは反対側に曲がる場合、枢動部材が円弧軌道に従って地面に向いた方向へ進むことができるため、本考案の背凭れ部材はより大きな枢動角度を有する。よって、運動強度及び筋肉を伸ばす効果を向上させることができる。
【００１０】
本考案の円弧軌道は、滑らかな弧面を有することができ、弧面に合わせて枢動部材の端部に摺動ユニットが設けられている。摺動ユニットにはローラーが回転可能に設けられている。このローラーが弧面に当接し回転することによって、摺動ユニットが往復移動する時の安定性で摺動性を高めることができる。
【００１１】
また、本考案の定位置復帰手段は、座席と枢接部材との間に設けられている単一もしくは複数のバネ部材、または、座席と背凭れ部材との間に設けられているバネ部材である。
【００１２】
また、円弧軌道には複数の位置決め穴が形成されてもよく、また、摺動ユニットにもそれに対応する１つの位置限定穴が形成されている。よって、位置限定穴および何れの位置決め穴に位置決め部材を貫通することで位置決めを行うことができる。これによって、背凭れ部材を所定角度に設定することができる。複数の位置決め穴は、互い隣り合う位置決め穴の間の間隔が同じであっても良い。
【図面の簡単な説明】
【００１３】
【図１】本考案の一実施形態によるフィットネス装置を示す斜視図である。
【図２】本考案の一実施形態によるフィットネス装置を示す要部拡大図である。
【図３】本考案の一実施形態によるフィットネス装置の摺動ユニットを示す要部拡大図である。
【図４】本考案の一実施形態によるフィットネス装置の動作状態を示す模式図である。
【図５】本考案の一実施形態によるフィットネス装置のロック状態を示す模式図である。
【図６】本考案の一実施形態によるフィットネス装置の作動範囲を示す模式図である。
【考案を実施するための形態】
【００１４】
（一実施形態）
本考案の一実施形態によるフィットネス装置を図面に基づいて説明する。
本実施形態のフィットネス装置は、利用者が座る姿勢でシットアップ運動を行うためのものであり、座席１００と、円弧軌道２００と、枢動部材３００と、背凭れ部材４００と、複数のバネ部材５００を備える。
座席１００は、利用者が座るためのものである。座席１００の下方に支持フレーム１１０及びロッド１３０が設けられている。支持フレーム１１０の両側にはそれぞれ弾性を有する運動用引き縄１２０が設けられている。
円弧軌道２００は、座席１００の下方に固定され、且つ支持フレーム１１０に接続されている。円弧軌道２００の上方には座席１００と反対側にまがっている第１の弧面２１０が形成されている。その他の実施形態において、円弧軌道は座席１００側にまがっても良い。円弧軌道２００の下方には第２の弧面２２０（図３参照）が形成されている。また円弧軌道２００の側方にはそれぞれ複数の位置決め穴２３０が等間隔又は非等間隔で設けられている。
【００１５】
枢動部材３００の一方の端部３２０は、円弧軌道２００に摺動可能に設けられている「コ」字状の摺動ユニット３３０に接続されている。摺動ユニット３３０の上側には、第１の弧面２１０に当接するローラー３４０が回転可能に設けられている。ローラー３４０に対して摺動ユニット３３０の下側には第２の弧面２２０に当接する枢接部材３５０が設けられている。その他の実施形態において、円弧軌道が第１側面及び第１側面に対向する第２側面を有してもよく、摺動ユニットが第１ローラー及び第２ローラーを含んでもよい。この場合、第１ローラー及び第２ローラーはそれぞれ摺動ユニット内に回転可能に設けられており、第１ローラーが円弧軌道の第１側面に当接し、第２ローラーが円弧軌道の第２側面に当接する。これにより、枢動部材の摺動ユニットが円弧軌道に沿って往復摺動可能になる。実施形態で例示した形状に限定されず、円弧軌道の横断面は、摺動ユニットを円弧軌道に摺動可能に架設することが可能な如何なる幾何学的形状であってもよい。
摺動ユニット３３０には位置限定穴３６０が貫設され、位置限定穴３６０の位置は各位置決め穴２３０に対応する。
背凭れ部材４００は、座席１００に枢接されている。背凭れ部材４００には複数のクッション４０１が所定の位置に設置されている。枢動部材３００の他方の端部３１０が背凭れ部材４００の後ろに枢接されていることで、背凭れ部材４００が座席１００に対して枢動すると、枢動部材３００が連動して円弧軌道２００にそって摺動する。
複数のバネ部材５００は、実用新案登録請求の範囲における「定位置復帰手段」の一例である。複数のバネ部材５００は、座席１００の下方のロッド１３０と枢接部材３５０との間に設けられ、背凭れ部材４００が枢動すると、枢動部材３００を引っ張って復帰させる。
【００１６】
本考案の一実施形態の作動状態、及びロック状態を図４および図５に示す。本考案の別の応用例として、背凭れ部材４００を座席１００に対して所定の傾斜角度まで枢動させ、また、位置限定穴３６０の位置を既定の位置決め穴２３０に対応させる。この時、位置決め部材６００を使って、摺動ユニット３３０の位置限定穴３６０と選ばれた何れの位置決め穴２３０を貫通すれば、本実施形態の背凭れ部材４００をロックする目的を達成することができる。
【００１７】
図４は、本実施形態の作動状態を示す。この時、前の段落で述べられた位置決め部材６００は、取り付けられていない。利用者が座る姿勢でシットアップをする場合、背凭れ部材４００が座席１００に対して往復枢動すると、枢動部材３００が連動して円弧軌道２００に沿って摺動する。
【００１８】
図６は、本考案の作動範囲を示す模式図である。図６に示すように、本考案の円弧軌道２００が、座席１００と反対側にまがっている場合、枢動部材３００及び背凭れ部材４００を円弧軌道２００に従って座席１００と反対側に進ませることができ、背凭れ部材４００は円弧軌道２００の弧度によって、より大きな枢動角度αを有することができる。このように大きな枢動角度αを生じることで、従来のフィットネス装置が達成できない９０度の枢動範囲、またはそれ以上の枢動範囲を得ることができ、運動強度及び筋肉を伸ばす効果を向上させることができる。
【００１９】
本考案の実施形態により、本考案を応用すれば、下記のメリットがあることが判明された。
第一、枢動部材３００は、背凭れ部材４００の枢動で連動されて円弧軌道２００で摺動することができ、背凭れ部材４００は、枢動部材３００によって枢動軌跡が制限されて枢動することができると共に、円弧軌道２００を背凭れ部材４００の支持当接部として、装置の動作を安定させることができる。
第二、円弧軌道２００が曲げて変化することは、背凭れ部材４００の枢動速度を徐々に変化させ、つまり、複数のバネ部材５００の復帰抵抗が徐々に変化するため、利用者の加えた力も、抵抗も、円弧軌道２００の曲がり方向または曲率によって徐々に変化することができ、運動抵抗の単一という従来の問題を解決することができる。また、徐々に変化する力は、フィットネス効果を促進することもできる。
第三、円弧軌道２００が座席１００とは反対側にまがっているので、枢動部材３００及び背凭れ部材４００を円弧軌道２００に従って座席１００とは反対側に進ませることができる。このため、本考案の背凭れ部材４００は、円弧軌道２００の弧度によって、より大きな枢動角度を有し、運動強度及び筋肉を伸ばす効果を向上させることができる。
【００２０】
本考案の実施形態を前述の通りに開示したが、これは本考案を限定するためのものではなく、当業者であれば、本考案の思想と範囲から逸脱しない限り、多様の変更や修正を加えることができる。従って、本考案の保護範囲は、実用新案登録請求の範囲で指定した内容を基準とする。
【符号の説明】
【００２１】
１００  座席、
１１０  支持フレーム、
１２０  運動用引き縄、
１３０  ロッド、
２００  円弧軌道、
２１０  第１の弧面、
２２０  第２の弧面、
２３０  位置決め穴、
３００  枢動部材、
３１０  他端部、
３２０  一端部、
３３０  摺動ユニット、
３４０  ローラー、
３５０  枢接部材、
３６０  位置限定穴、
４００  背凭れ部材、
４０１  クッション、
５００  バネ部材、
６００  位置決め部材、
α  枢動角度。
【図１】
0003182681.tif 000003
【図２】
0003182681.tif 000004
【図３】
0003182681.tif 000005
【図４】
0003182681.tif 000006
【図５】
0003182681.tif 000007
【図６】
0003182681.tif 000008